【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
移動局内で用いるためのプライバシー制御システムであって、前記移動局は無線通信システムと通信を行い、プライバシー制御システムは移動局に関連する地理的場所情報を与えるものであって、
ａ）少なくとも一つのプライバシールールを有するプライバシーポリシー部を含み、移動局外部の場所要求者により発生された移動局の地理的場所に関する場所要求を受け取り、少なくとも一つのプライバシールールに部分的に基づいてこの場所要求に応答するか否かを決定するプライバシーエンジンと、
ｂ）このプライバシーエンジンに作動的に結合されて応答し、移動局の地理的場所の推定を生成してプライバシーエンジンに与える場所決定モジュール（ＰＤＭ）とを具備し、
前記プライバシーエンジンはＰＤＭからの地理的場所の推定を受け取り、この場所の推定を処理して前記場所要求に選択的に応答し、前記プライバシーポリシー部に従って応答メッセージを発生させる、プライバシー制御システム。
【請求項２】
前記ＰＤＭは以下の方法、即ち全地球位置決定システム（ＧＰＳ）、アシステッドＧＰＳ、アドバンスドフォワードリンク三辺測量、到達時間、高監視時間差、および移動局が動作中の無線通信セルの識別に応じた位置決め、のいずれか一つまたはそれ以上の方法により動作する、請求項１に記載のプライバシー制御システム。
【請求項３】
更に、プライバシーエンジンと無線通信システムとに作動的に結合された無線ネットワーク通信モジュールを具備し、前記無線ネットワーク通信モジュールは、無線通信システムからの場所要求を受信して応答メッセージを無線通信システムに送信するとともに、無線通信システムからのデータおよびソフトウエア命令を受信しまたは前記無線通信システムに送信するように構成される、請求項１に記載のプライバシー制御システム。
【請求項４】
前記プライバシーエンジンは、無線通信システムからダウンロードされたソフトウエアを有する、請求項３に記載のプライバシー制御システム。
【請求項５】
前記プライバシーエンジンは、無線通信システムからダウンロードされたソフトウエアアップグレードによって変更される、請求項３に記載のプライバシー制御システム。
【請求項６】
前記プライバシーポリシーは、無線通信システムからダウンロードされたソフトウエアを有する、請求項３に記載のプライバシー制御システム。
【請求項７】
前記プライバシーポリシーは、無線通信システムからダウンロードされたアップデートにより変更される、請求項３に記載のプライバシー制御システム。
【請求項８】
前記アップデートは、ユーザ特有のプライバシーポリシーデータを含む請求項７に記載のプライバシー制御システム。
【請求項９】
前記場所要求は、無線通信システムに作動的に接続された外部アプリケーションから受信される、請求項３に記載のプライバシー制御システム。
【請求項１０】
前記場所要求は、移動局内で実行されるローカルソフトウエアアプリケーションから受信される、請求項１に記載のプライバシー制御システム。
【請求項１１】
更に、プライバシーエンジンと外部ローカルアプリケーションに作動的に結合されたローカル通信モジュールを具備し、前記ローカル通信モジュールは、外部ローカルアプリケーションからの場所要求を受信して応答メッセージを外部ローカルアプリケーションに送信するとともに、外部ローカルアプリケーションからデータおよびソフトウエア命令を受信してデータとソフトウエア命令を外部ローカルアプリケーションに送信するように構成される、請求項１に記載のプライバシー制御システム。
【請求項１２】
前記プライバシーエンジンは、外部ローカルアプリケーションからダウンロードされたソフトウエアを有する、請求項１１に記載のプライバシー制御システム。
【請求項１３】
前記プライバシーエンジンは、外部ローカルアプリケーションからダウンロードされたソフトウエア命令によるソフトウエアアップグレードによって変更される、請求項１１に記載のプライバシー制御システム。
【請求項１４】
前記プライバシーポリシーは、外部ローカルアプリケーションからダウンロードされたソフトウエアを具備する、請求項１１に記載のプライバシー制御システム。
【請求項１５】
前記プライバシーポリシーは、前記外部ローカルアプリケーションからダウンロードされたアップデートにより変更される、請求項１１に記載のプライバシー制御システム。
【請求項１６】
前記アップデートは、ユーザー特有のプライバシーポリシーデータを含む、請求項１５に記載のプライバシー制御システム。
【請求項１７】
前記場所要求は外部ローカルアプリケーションから受信される、請求項１１に記載のプライバシー制御システム。
【請求項１８】
更に、前記プライバシーエンジンに作動的に結合されたユーザーインターフェースを有し、このユーザーインターフェースはユーザーからの入力を受信し、このユーザーの入力はアップデートを有するプライバシーポリシーを変更するために使用されるように構成される、請求項１に記載のプライバシー制御システム。
【請求項１９】
前記アップデートはユーザー特有のプライバシーポリシーデータを含む、請求項１８に記載のプライバシー制御システム。
【請求項２０】
前記ユーザーインターフェースはプライバシーポリシーに応じてユーザーに対する場所要求の告知を与えるとともに、ユーザーからの前記場所要求の通知に応える応答を受信するように構成される、請求項１８に記載のプライバシー制御システム。
【請求項２１】
前記プライバシーポリシーは複数のプライバシー等級を含み、このプライバシー等級はプライバシーエンジンによって受信された場所要求を分類し、更に前記プライバシーポリシーは各プライバシー等級に対する場所要求に応じた対応を決定するプライバシールールを含み、このプライバシールールは、
ａ）場所要求の許可叉は禁止のデフォールトを要するルールと、
ｂ）場所要求のユーザー告知を要するルールと、
ｃ）要求されたサービスの内容に基づくユーザー告知を要するルールと、
ｄ）場所要求が定期的なものか或いは必要時に発生されるものかに基づいたユーザー告知を要するルールと、
ｅ）場所要求が発生した時間に基づくユーザー告知を要するルールと、
ｆ）ユーザー告知のために用いられる表示モードを指定するルールと、
ｇ）与えられるべき場所推定の正確な範囲を指定するルールと、
ｈ）ユーザーがユーザー告知に応答しなかったときに応答メッセージの取り扱いのデフォールトを要するルールと、
ｉ）移動局の現在の地理的場所に基づいた応答メッセージの取り扱いを決定するルールと、
のうちの少なくとも一つのルールを含む、請求項２０に記載のプライバシー制御システム。
【請求項２２】
更に、着脱式のデータ記憶装置を具備し、このデータ記憶装置はプライバシーエンジンに作動的に結合されるとともに、ユーザー特有のプライバシーポリシーデータを受信し、記憶し、送信するように構成された、請求項１に記載のプライバシー制御システム。
【請求項２３】
前記着脱式のデータ記憶装置は加入者識別モジュール装置を具備する、請求項２２に記載のプライバシー制御システム。
【請求項２４】
前記着脱式のデータ記憶装置はユニバーサル加入者識別モジュール装置を具備する、請求項２２に記載のプライバシー制御システム。
【請求項２５】
前記着脱式のデータ記憶装置は着脱式のユーザー識別モジュール装置を具備する、請求項２２に記載のプライバシー制御システム。
【請求項２６】
移動局の地理的場所情報に関して移動局内でプライバシー制御を与える方法であって、前記移動局は無線通信システムと通信を行い、この移動局はソフトウエア命令を有したプライバシーエンジンを含み、このプライバシーエンジンのソフトウエア命令は更にプライバシーポリシー命令を含み、移動局は更に移動局の地理的場所の推定を与えることができる位置決定モジュール（ＰＤＭ）を含み、前記方法は、
ａ）移動局の現在の地理的場所に関する場所要求を受信するステップと、
ｂ）場所要求に含まれる少なくとも一部の情報に基づいてこの場所要求に応答するか否かを決定するプライバシールールを含むプライバシーエンジンのソフトウエア命令によりこの場所要求を処理するステップと、
ｃ）移動局の地理的場所の推定を取得するステップと、
ｄ）この場所の推定を位置要求と、プライバシーエンジンのソフトウエア命令と、プライバシールールとに従って処理するステップと、
ｅ）プライバシーエンジンのソフトウエア命令と、場所の推定と、プライバシールールとに対応して、場所要求に応答する応答メッセージを選択的に出力するステップと、
を含むプライバシー制御方法。
【請求項２７】
前記場所要求を処理するステップｂ）は、更に前記プライバシーポリシー命令をオーバーライドすることにより非常場所要求を処理して非常応答メッセージを出力するステップを含む、請求項２６に記載のプライバシー制御方法。
【請求項２８】
前記場所要求を処理するステップｂ）は、複数の現在場所要求を処理するステップを含む、請求項２７に記載のプライバシー制御方法。
【請求項２９】
現在の場所要求は非常場所要求が処理されている間は中断される、請求項２８に記載のプライバシー制御方法。
【請求項３０】
更に、ユーザーに対して場所要求を告知するステップを含む請求項２６に記載のプライバシー制御方法。
【請求項３１】
前記プライバシーポリシー命令は前記ステップａ）の処理の際に受信される場所要求を分類するプライバシー等級を含み、前記プライバシーポリシー命令は更に各プライバシー等級の場所要求に対する応答を決定するプライバシールールを含み、プライバシールールは、
ａ）場所要求の許可叉は禁止のデフォールトを要するルールと、
ｂ）場所要求のユーザー告知を要するルールと、
ｃ）要求されたサービスの内容に基づくユーザー告知を要するルールと、
ｄ）場所要求が定期的なものか或いは必要時に発生されるものかに応じたユーザー告知を要するルールと、
ｅ）場所要求が発生した時間に基づくユーザー告知を要するルールと、
ｆ）ユーザー告知のために用いられる表示モードを指定するルールと、
ｇ）与えられるべき場所の推定の正確な範囲を決定するルールと、
ｈ）ユーザーがユーザー告知に応答しなかったときに応答メッセージの取り扱いのデフォールトを要するルールと、
ｉ）移動局の現在の地理的場所に基づいた応答メッセージの取り扱いを指定するルールと、
のうちの少なくとも一つのルールを含む、請求項３０に記載のプライバシー制御方法。
【請求項３２】
移動局の地理的場所情報に関して移動局内でプライバシー制御を与える装置であって、前記移動局は無線通信システムと通信を行い、この移動局はソフトウエア命令を有したプライバシーエンジンを含み、このプライバシーエンジンのソフトウエア命令は更にプライバシーポリシー命令を含み、移動局は更に移動局の地理的場所の推定を与えることができる位置決定モジュール（ＰＤＭ）を含み、前記装置は、
ａ）移動局の現在の地理的場所に関する場所要求を受信する手段と、
ｂ）場所要求に含まれる少なくとも一部の情報に基づいてこの場所要求に応答するか否かを決定するプライバシールールを含むプライバシーエンジンのソフトウエア命令によりこの場所要求を処理する手段と、
ｃ）移動局の地理的場所の推定を取得する手段と、
ｄ）この場所の推定を、場所要求と、プライバシーエンジンのソフトウエア命令と、プライバシールールとに従って処理する手段と、
ｅ）プライバシーエンジンのソフトウエア命令と、場所の推定と、プライバシールールとに従って場所要求に応答する応答メッセージを選択的に出力する手段と、
を含むプライバシー制御装置。
【請求項３３】
前記場所要求を処理する手段は、前記非常場所要求を処理するためにプライバシーポリシー命令をバイパスして非常応答メッセージを出力する手段を含む、請求項３２に記載のプライバシー制御装置。
【請求項３４】
前記場所要求を処理する手段は更に複数の同時発生の場所要求を処理する手段を含む、請求項３３に記載のプライバシー制御装置。
【請求項３５】
現在の場所要求は非常場所要求が処理されている間は中断される、請求項３４に記載のプライバシー制御装置。
【請求項３６】
更にユーザーに場所要求の告知を行う手段を有する、請求項３２に記載のプライバシー制御装置。
【請求項３７】
前記プライバシーポリシーは前記ステップａ）の処理の際に受信される場所要求を分類するプライバシー等級を含み、前記プライバシーポリシーは更に各プライバシー等級の場所要求に対する応答を決定するプライバシールールを含み、前記プライバシールールは、
ａ）場所要求の許可叉は禁止のデフォールトを要するルールと、
ｂ）場所要求のユーザー告知を要するルールと、
ｃ）要求されたサービスの内容に基づくユーザー告知を要するルールと、
ｄ）場所要求が定期的なものか或いは必要時に発生されるものかに応じたユーザー告知を要するルールと、
ｅ）場所要求が発生した時間に基づくユーザー告知を要するルールと、
ｆ）ユーザー告知のために用いられる表示モードを指定するルールと、
ｇ）与えられるべき場所の推定の正確な範囲を決定するルールと、
ｈ）ユーザーがユーザー告知に応答しなかったときに応答メッセージの取り扱いのデフォールトを要するルールと、
ｉ）移動局の現在の地理的場所に基づいた応答メッセージの取り扱いを指定するルールと、
のうちの少なくとも一つのルールを含む、請求項３６に記載のプライバシー制御装置。